【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
ユーザデータが記録されるデータ領域と、
記録媒体への物理的なアクセスを制御するための物理的アクセス制御情報を記憶するための物理的アクセス制御領域と
を備える記録媒体であって、
前記物理的アクセス制御情報は、
前記物理的アクセス制御情報が記録／再生装置によって認識されるときに適用される第１規則と、
前記第１規則が適用される、前記データ領域の第１セグメントを定義する第１セグメント情報であって、前記第１規則は前記記録／再生装置が前記第１セグメントに記録されたデータを読み出すことを制限する読出し保護制御情報を含む、第１セグメント情報と、
前記物理的アクセス制御情報が前記記録／再生装置によって認識されないときに適用される第２規則と、
前記第２規則が適用される、前記データ領域の第２セグメントを定義する第２セグメント情報とを有すること
を特徴とする記録媒体。
【請求項２】
前記読出し保護制御情報は、前記記録媒体に記録される前記データの全部または特定された一部の読出しを制御することを特徴とする請求項１に記載の記録媒体。
【請求項３】
前記第１セグメント情報は、前記第１セグメントのアドレス情報を含むことを特徴とする請求項２に記載の記録媒体。
【請求項４】
前記第１セグメントは、ユーザーにより指定されることを特徴とする請求項３に記載の記録媒体。
【請求項５】
前記物理的アクセス制御情報が認識されるか否かは、前記物理的アクセス制御情報のＩＤ（ｉｄｅｎｔｉｔｙ）に基づいて判断されることを特徴とする請求項１に記載の記録媒体。
【請求項６】
前記物理的アクセス制御情報情報は、前記読み出しを制限するためのパスワード情報をさらに含むことを特徴とする請求項１に記載の記録媒体。
【請求項７】
前記パスワード情報は、前記読出し保護制御情報の記録時に設定されることを特徴とする請求項６に記載の記録媒体。
【請求項８】
前記第２セグメント情報は、前記第２セグメントのアドレス情報を含むことを特徴とする請求項１に記載の記録媒体。
【請求項９】
前記記録媒体の第１セグメント及び第２セグメントのアドレスは、相互に異なることを特徴とする請求項１に記載の記録媒体。
【請求項１０】
前記物理的アクセス制御情報は、前記読出し保護制御情報のｏｎ／ｏｆｆの状態を表す状態情報をさらに含むことを特徴とする請求項１に記載の記録媒体。
【請求項１１】
前記物理的アクセス制御情報は、前記記録媒体の初期化を制限する制御情報フィールドをさらに含むことを特徴とする請求項１に記載の記録媒体。
【請求項１２】
記録媒体に記録されたデータを再生する方法であって、
前記記録媒体の物理的アクセス制御領域から、前記記録媒体への物理的アクセスを制御するための物理的アクセス制御情報を読み出すステップであって、前記物理的アクセス制御情報は、
前記物理的アクセス制御情報が記録／再生装置によって認識されるときに適用される第１規則と、
前記第１規則が適用される、前記記録媒体のデータ領域の第１セグメントを定義する第１セグメント情報であって、前記第１規則は前記記録／再生装置が前記第１セグメントに記録されたデータを読み出すことを制限する読出し保護制御情報を含む、第１セグメント情報と、
前記物理的アクセス制御情報が前記記録／再生装置によって認識されないときに適用される第２規則と、
前記第２規則が前記データ領域において適用される、第２セグメントを定義する第２セグメント情報とを含む、ステップと、
前記物理的アクセス制御情報に従って、前記記録媒体に記録されたデータの再生を制御するステップと
を備えることを特徴とするデータ再生方法。
【請求項１３】
前記第１規則または第２規則によって、ユーザーが前記データを読出す権限があるか否かを判断するステップをさらに含むことを特徴とする請求項１２に記載のデータ再生方法。
【請求項１４】
前記ユーザに対して前記判断のためのパスワードを要求するステップをさらに備えることを特徴とする請求項１３に記載のデータ再生方法。
【請求項１５】
前記物理的アクセス制御情報のＩＤに基づいて、前記物理的アクセス制御情報が認識されるか否かが判断されることを特徴とする請求項１２に記載のデータ再生方法。
【請求項１６】
前記読出し保護制御情報は前記記録媒体に記録されたユーザーデータの一部または全部を読み出すことを制御することを特徴とする請求項１２に記載のデータ再生方法。
【請求項１７】
前記読出し保護制御情報のｏｎ／ｏｆｆの状態を確認するステップをさらに含むことを特徴とする請求項１２に記載のデータ再生方法。
【請求項１８】
記録媒体にデータを記録する方法であって、
前記記録媒体のデータ領域にユーザデータを記録するステップと、
前記記録媒体の物理的アクセス制御領域に、前記記録媒体への物理的アクセスを制御するための物理的アクセス制御情報を記録するステップと
を備え、
前記物理的アクセス制御情報は、
前記物理的アクセス制御情報が記録／再生装置によって認識されるときに適用される第１規則と、
前記第１規則が適用される、前記データ領域の第１セグメントを定義する第１セグメント情報であって、前記第１規則は前記記録／再生装置が前記第１セグメントに記録されたデータを読み出すことを制限する読出し保護制御情報を含む、第１セグメント情報と、
前記物理的アクセス制御情報が前記記録／再生装置によって認識されないときに適用される第２規則と、
前記第２規則が適用される、前記データ領域の第２セグメントを定義する第２セグメント情報とを有すること
を特徴とするデータ記録方法。
【請求項１９】
前記読出し保護制御情報は、前記データの全部または一部の前記読出しを制御することを特徴とする請求項１８に記載のデータ記録方法。
【請求項２０】
前記第２セグメント情報は、前記第２セグメントのアドレス情報を含むことを特徴とする請求項１８に記載のデータ記録方法。
【請求項２１】
前記物理的アクセス制御情報が認識されるか否かは、前記物理的アクセス制御情報のＩＤに基づいて判断されることを特徴とする請求項１８に記載のデータ記録方法。
【請求項２２】
前記記録媒体の前記第１セグメントと前記第２セグメントのアドレスは、相互に異なることを特徴とする請求項１８に記載のデータ記録方法。
【請求項２３】
前記読出し制御情報は、パスワードが設定されているか否かを表すフィールドを含むことを特徴とする請求項１８に記載のデータ記録方法。
【請求項２４】
読出し保護制御情報のｏｎ／ｏｆｆの状態を表示する状態情報を記録するステップをさらに含むことを特徴とする請求項１８に記載のデータ記録方法。
【請求項２５】
記録媒体にデータを記録、または記録されたデータを再生する装置であって、
前記記録媒体にデータを記録、または記録されたデータを再生するためのピックアップと、
前記記録媒体の物理的アクセス制御領域に記録された物理的アクセス制御情報に応じて、前記記録媒体にデータを記録、または記録されたデータを再生するように前記ピックアップを制御する制御部と、
を備え、
前記物理的アクセス制御情報は、
前記物理的アクセス制御情報が前記装置によって認識されるときに適用される第１規則と、
前記第１規則が適用される、前記記録媒体のデータ領域の第１セグメントを定義する第１セグメント情報であって、前記第１規則は前記装置が前記第１セグメントに記録されたデータを読み出すことを制限する読出し保護制御情報を含む、第１セグメント情報と、
前記物理的アクセス制御情報が前記装置によって認識されないときに適用される第２規則と、
前記第２規則が適用される、前記データ領域の第２セグメントを定義する第２セグメント情報とを有すること
を特徴とする記録再生装置。
【請求項２６】
前記制御部は、既に保存されたパスワードとユーザーにより入力されたパスワードとを比較し、前記ユーザーに前記データの読出し権限があるか否かを判断することを特徴とする請求項２５に記載の記録再生装置。
【請求項２７】
前記制御部は、前記物理的アクセス制御情報が認識されるか否かを判断するために、前記物理的アクセス制御情報のＩＤを保存されたＩＤと比較することを特徴とする請求項２５に記載の記録再生装置。